(57)【特許請求の範囲】
【請求項１】
遮蔽装置の遮蔽材の一端部を固定するための遮蔽材固定装置であって、
固定面に固定されるベース部材と、
前記ベース部材に対して回転可能に軸支され、前記遮蔽材の一端部を固定する固定位置と前記ベース部材に収納される収納位置との間で回転するフック部材と、
前記フック部材を前記固定位置となるように付勢する付勢部材と、
を有し、
前記フック部材は、前記固定位置から前記収納位置までの範囲における所定量以内の回転範囲では、前記付勢部材による付勢力によって前記固定位置へ復帰することを特徴とする、遮蔽装置の遮蔽材固定装置。
【請求項２】
遮蔽装置の遮蔽材の一端部を固定するための遮蔽材固定装置であって、
固定面に固定されるベース部材と、
前記ベース部材に対して回転可能に軸支され、前記遮蔽材の一端部を固定位置で固定するフック部材と、
前記フック部材を前記固定位置となるように付勢する付勢部材と、
を有し、
前記フック部材は、前記ベース部材に対して所定量以内の回転範囲では、前記付勢部材による付勢力によって前記固定位置へ復帰し、
前記ベース部材には前記フック部材を回転可能に軸支する支持片が形成され、
前記支持片と前記フック部材のうちいずれか一方には第１凸部が形成され、いずれか他方にテーパー面が形成され、
前記フック部材が前記ベース部材に対して回転すると前記第１凸部と前記テーパー面とが相対移動され、
前記フック部材は、前記第１凸部が前記テーパー面を乗り越えると、前記フック部材がその位置で保持される収納位置となることを特徴とする、遮蔽装置の遮蔽材固定装置。
【請求項３】
前記テーパー面は、起点位置から両側に向かって傾斜するように形成され、
前記フック部材が前記付勢部材による付勢力によって前記固定位置にあるときに、前記第１凸部が前記起点位置にあることを特徴とする、請求項２に記載の遮蔽装置の遮蔽材固定装置。
【請求項４】
前記支持片と前記フック部材のうち前記第１凸部が形成される方には、さらに第２凸部が形成されており、
前記第１凸部と前記第２凸部とは前記回転軸心を境とした両側に形成されることを特徴とする、請求項３に記載の遮蔽装置の遮蔽材固定装置。
【請求項５】
前記フック部材は所定角度を以て２つ形成されており、
前記各フック部材は、前記回転軸心から前記遮蔽材を固定する部分までの距離がそれぞれ異なるようになっており、
一方のフック部材が前記固定位置にあるときは、他方のフック部材が前記収納位置にあるようにしたことを特徴とする、請求項２〜４のいずれかに記載の遮蔽装置の遮蔽材固定装置。
【請求項６】
前記付勢部材はコイルバネであり、
前記コイルバネの軸心が前記フック部材の回転軸心に一致することを特徴とする、請求項１〜５のいずれかに記載の遮蔽装置の遮蔽材固定装置。
【発明の詳細な説明】
【技術分野】
【０００１】
本発明は、遮蔽装置の遮蔽材固定装置に関する。
【背景技術】
【０００２】
従来、遮蔽装置の遮蔽材を固定するための構成として、特開２００７−２８５０４６号公報（特許文献１）に示されるものがある。同文献には、建物の外壁の屋外側における窓の上枠に沿った部分に、巻き取り、繰り出し自在に取り付けるスクリーンと、スクリーンに設けたボトムバーと、窓の下枠における外壁の屋外側面よりも突出した突出部に、突出姿勢と格納姿勢とに亘って垂直軸回りに回動自在に取り付けた長さの異なる複数の受け部材を備え、各受け部材はボトムバーと係脱自在で、かつ係止することでボトムバーが上方に移動しないように支持するようにしたことが開示される。
【０００３】
このような構成によれば、受け部材を突出姿勢としてボトムバーを係止することで、ボトムバーが上方に移動しないように支持でき、受け部材を格納姿勢とすれば、外壁の屋外側面から屋外側に張り出ないので、その受け部材が邪魔にならないようにすることができ、長さの異なる複数の受け部材を回動自在に取り付ける簡単な構造で、スクリーンと窓の間の空間の広さを調整することができる。
【先行技術文献】
【特許文献】
【０００４】
【特許文献１】特開２００７−２８５０４６号公報
【発明の概要】
【発明が解決しようとする課題】
【０００５】
しかしながら、受け部材が突出姿勢にある状態でスクリーンを下ろしてボトムバーを係止しようとしたとき、何らかの拍子で受け部材に接触した場合には、受け部材が回転してしまうため、受け部材を手で突出姿勢に戻すまでは、一時的にボトムバーを係止することができなくなるという問題があった。
【０００６】
そこで本発明は、このような問題に鑑みてなされたもので、その目的とするところは、遮蔽装置の遮蔽材を固定するための装置に接触したときの不具合を解消することの可能な遮蔽装置の遮蔽材固定装置を提供することにある。
【課題を解決するための手段】
【０００７】
上記課題を解決するために、本発明によれば、遮蔽装置の遮蔽材の一端部を固定するための遮蔽材固定装置であって、固定面に固定されるベース部材と、前記ベース部材に対して回転可能に軸支され、前記遮蔽材の一端部を固定位置で固定するフック部材と、前記フック部材を前記固定位置となるように付勢する付勢部材と、を有し、前記フック部材は、前記ベース部材に対して所定量以内の回転範囲では、前記付勢部材による付勢力によって前記固定位置へ復帰することを特徴とする、遮蔽装置の遮蔽材固定装置が提供される。
【０００８】
かかる構成によれば、ベース部材に対して回転可能に軸支されるフック部材を固定位置となるよう付勢する付勢部材を設け、ベース部材に対して所定量以内の回転範囲では、付勢部材によるに付勢力によって固定位置へ復帰するようにした。このため、遮蔽材の閉塞途中でフック部材に接触してフック部材が回転してしまっても、所定角度範囲内の回転であれば、付勢部材によって自動的に固定位置に戻ることができる。さらに、フック部材は回転可能となっているため、衝撃を吸収して破損を防止することができる。以上のように、遮蔽装置の遮蔽材を固定するための装置に接触したときの不具合を解消することができる。
【０００９】
本発明は様々な応用が可能である。例えば、前記ベース部材には前記フック部材を回転可能に軸支する支持片が形成され、前記支持片と前記フック部材のうちいずれか一方には第１凸部が形成され、いずれか他方にテーパー面が形成され、前記フック部材が前記ベース部材に対して回転すると前記第１凸部と前記テーパー面とが相対移動され、前記フック部材は、前記第１凸部が前記テーパー面を乗り越えると、前記フック部材がその位置で保持される収納位置となるようにしてもよい。このように、支持片とフック部材のうちいずれか一方に第１凸部を形成し、いずれか他方にテーパー面を形成することで、第１凸部がテーパー面を乗り越えるまでの回転範囲では、付勢部材の付勢力によってフック部材は固定位置に復帰可能であり、第１凸部がテーパー面を乗り越えるとテーパー面によって第１凸部の移動が阻止され、フック部材を収納位置において保持することができる。
【００１０】
また、前記テーパー面は、起点位置から両側に向かって傾斜するように形成され、前記フック部材が前記付勢部材による付勢力によって前記固定位置にあるときに、前記第１凸部が前記起点位置にあるようにしてもよい。このように、テーパー面を起点位置から両側に向かって傾斜するように形成することで、フック部材が左右いずれの方向に回転しても、付勢部材の付勢力によって起点位置となる固定位置に復帰できる。
【００１１】
また、前記支持片と前記フック部材のうち前記第１凸部が形成される方には、さらに第２凸部が形成されており、前記第１凸部と前記第２凸部とは前記回転軸心を境とした両側に形成されるようにしてもよい。このように、支持片とフック部材のうち第１凸部が形成される方にさらに第２凸部を設け、第１凸部と第２凸部とを回転軸心を境とした両側に形成することで、ベース部材の支持片に対してフック部材が上下方向にがたついたり傾いたりすることを防止できる。
【００１２】
また、前記フック部材は所定角度を以て２つ形成されており、前記各フック部材は、前記回転軸心から前記遮蔽材を固定する部分（例えば、遮蔽材を係止して固定する係止部）までの距離がそれぞれ異なるようになっており、一方のフック部材が前記固定位置にあるときは、他方のフック部材が前記収納位置にあるようにしてもよい。このように、フック部材を所定角度を以て２つ形成し、各フック部材の回転軸心から遮蔽材を固定する部分までの距離がそれぞれ異なるようにしたことにより、フック部材を回転させると回転軸心から前記遮蔽材を固定する部分までの距離が切り替わるため、遮蔽材の閉塞状態にバリエーションを持たせることができる。
【００１３】
また、前記付勢部材はコイルバネであり、前記コイルバネの軸心が前記フック部材の回転軸心に一致するようにしてもよい。このように、付勢部材としてのコイルバネは、軸心がフック部材の回転軸心に一致するように配置されるため、コイルバネは脱落することなく安定して作動することができる。
【発明の効果】
【００１４】
本発明によれば、遮蔽装置の遮蔽材を固定するための装置に接触したときの不具合を解消することができる。本発明のその他の効果については、後述する発明を実施するための形態においても説明する。
【図面の簡単な説明】
【００１５】
【図１】第１の実施形態の遮蔽材固定装置２００を採用した日射遮蔽装置１００の全体構成を概略的に示した図である。
【図２】遮蔽材固定装置２００の使用状態を示す図であり、（ａ）はスクリーンを巻き取った状態の側面図であり、（ｂ）はスクリーンを引き出した状態の側面図である。
【図３】遮蔽材固定装置２００の全体の構成を示す斜視図である。
【図４】遮蔽材固定装置２００を示す図であり、（ａ）はフック部材２４０が固定位置にあるときの側面図であり、（ｂ）はフック部材２４０が固定位置にあるときの正面図である。
【図５】遮蔽材固定装置２００を示す図であり、（ａ）はフック部材２４０が収納位置にあるときの側面図であり、（ｂ）はフック部材２４０が収納位置にあるときの正面図である。
【図６】遮蔽材固定装置２００のベース部材２２０とフック部材２４０の構成を説明するための図である。
【図７】遮蔽材固定装置２００を示す図であり、（ａ）は図４（ａ）のＡ−Ａ断面図であり、（ｂ）は図４（ｂ）のＢ−Ｂ断面図である。
【図８】遮蔽材固定装置２００を示す図であり、（ａ）は図５（ａ）のＣ−Ｃ断面図であり、（ｂ）は図５（ｂ）のＤ−Ｄ断面図である。
【図９】遮蔽材固定装置２００の動作を説明するための図であり、（ａ）はフック部材２４０が回転している状態を示し、（ｂ）はフック部材２４０が収納された状態を示す。
【図１０】第２の実施形態の遮蔽材固定装置４００の構成を概略的に示す図である。
【図１１】遮蔽材固定装置４００の使用状態を示し、（ａ）は短尺のフック部材４４０Ｓでウエイトバー１４０を係止した状態の側面図であり、（ｂ）は長尺のフック部材４４０Ｌでウエイトバー１４０を係止した状態の側面図である。
【図１２】遮蔽材固定装置４００の動作を説明するための図であり、（ａ）はフック部材４４０が回転している状態を示し、（ｂ）は長尺のフック部材４４０Ｌが固定位置にある状態を示す。
【発明を実施するための形態】
【００１６】
（第１の実施形態）
以下に添付図面を参照しながら、本発明の好適な実施形態について詳細に説明する。なお、本明細書及び図面において、実質的に同一の機能構成を有する構成要素については、同一の符号を付することにより重複説明を省略する。
【００１７】
第１の実施形態の遮蔽材固定装置２００を採用した遮蔽装置１００の全体の構成について図１を参照しながら説明する。図１は、遮蔽材固定装置２００を採用した遮蔽装置１００の全体構成を概略的に示した図である。本実施形態では、遮蔽装置１００は、建物の屋外、例えばベランダに設置されるロールスクリーンとして説明する。ただし、本発明はこの例に限定されるものではなく、例えば、遮蔽装置を屋内に設置してもよい。
【００１８】
遮蔽装置１００は、図１に示したように、巻取軸収容装置１１０と、巻取軸収容装置１１０に回転自在に収容される巻取軸１２０と、巻取軸１２０に巻き取り及び巻き解き可能に上端が連結されるスクリーン１３０と、スクリーン１３０の下端の全長に亘って連結されてスクリーン１３０に張力を与えるウエイトバー１４０と、ウエイトバー１４０から垂下するプルコード１５０と、ウエイトバー１４０を固定する遮蔽材固定装置２００と、を備えて構成される。
【００１９】
以下、本実施形態の遮蔽装置１００の各構成要素について、図１及び図２を参照しながら説明する。
【００２０】
巻取軸収容装置１１０は、図１に示したように、両端部に設けられている側面ブラケット１１２、１１４によって巻取軸１２０の両端部を回転自在に支持している。また、巻取軸収容装置１１０は、図２に示したように、取り付け用ブラケット１６０を介して窓よりも上方の外壁３００に固定されている。スクリーン１３０は、図１に示したように、上端が巻取軸１２０に連結されており、巻取軸１２０に巻き取り及び巻き解かれる。スクリーン１３０は、巻取軸１２０に巻き取られると、図２（ａ）に示したように、巻取軸収容装置１１０に収容され、巻取軸１２０から巻き解かれると、図２（ｂ）に示したように、巻取軸収容装置１１０から引き出される。
【００２１】
ウエイトバー１４０は、図１に示したように、スクリーン１３０の下端の全長に亘って連結され、スクリーン１３０に張力を与えるものである。ウエイトバー１４０は、図２（ａ）に示したように、スクリーン１３０が巻取軸収容装置１１０に収容されているときは、巻取軸収容装置１１０の下端に当接する位置まで上昇している。プルコード１５０は、図１に示したように、ウエイトバー１４０の長手方向における中央の位置から垂下している。使用者はこのプルコード１５０を持って引き下げることによってスクリーン１３０を引き出すことができる。
【００２２】
遮蔽材固定装置２００は、ウエイトバー１４０を固定するものであり、図１に示したように、ウエイトバー１４０の長手方向の両端部の近傍に設けられる。遮蔽材固定装置２００は、図２に示したように、窓よりも下方の外壁３１０に固定されており、後述するように、先端には下方に突出する係止部２４２が形成されている。遮蔽材固定装置２００は、図２（ｂ）に示したように、スクリーン１３０が窓を覆う位置まで引き出された状態において、ウエイトバー１４０の上方から内部に係止部２４２が挿入されることによってウエイトバー１４０を固定する。
【００２３】
次に、本実施形態の特徴的な構成である遮蔽材固定装置２００について、図３〜図５を参照しながら説明する。遮蔽材固定装置２００は、遮蔽装置１００のスクリーン１３０の一端部を固定するためのものである。遮蔽材固定装置２００は、図３に示したように、外壁（固定面）３１０に固定されるベース部材２２０と、ベース部材２２０に対して回転可能に軸支され、スクリーン１３０の一端部を固定位置（図４）で固定するフック部材２４０と、フック部材２４０を固定位置となるように付勢するコイルバネ（付勢部材）２６０（図４）と、を有し、フック部材２４０は、ベース部材２２０に対して所定量以内の回転範囲では、コイルバネ２６０による付勢力によって固定位置へ復帰することを特徴とする。
【００２４】
以下、遮蔽材固定装置２００の各構成要素について、主に図４〜図７を参照しながら説明する。
【００２５】
（ベース部材２２０）
ベース部材２２０は、図４及び図５に示したように、外壁３１０に固定されてフック部材２４０を回転可能に支持するものである。ベース部材２２０には、上部支持片２２２と下部支持片２２４とが形成されており、上部支持片２２２と下部支持片２２４との間にフック部材２４０が挿入される。上部支持片２２２と下部支持片２２４には、図６に示したように、フック部材２４０を回転自在に軸支するための軸２８０が挿通する挿通孔２２２ａ、２２４ａが形成されている。
【００２６】
上部支持片２２２の底面２２２ｂには、図６に示したように、テーパー面２２６が形成されている。テーパー面２２６は、上部支持片２２２の基端部から挿通孔２２２ａまで延びる起点位置Ｋから上部支持片２２２の幅方向の両側に向かって下方に突出するように傾斜するように構成されている。テーパー面２２６は、上部支持片２２２の起点位置Ｋから下部支持片２２４までの高さと、底面２２２ｂから下部支持片２２４までの高さが同じであり、テーパー面２２６から下部支持片２２４までの高さは、テーパー面２２６が起点位置Ｋから離れるにしたがって徐々に狭くなるように構成されている。
【００２７】
このようにテーパー面２２６が構成されていることにより、後述するフック部材２４０の第１凸部２４６は、起点位置Ｋから約９０°回転すると、テーパー面２２６を乗り越えて上部支持片２２２の底面２２２ｂに当接し、収納位置になる。また、後述するフック部材２４０の第２凸部２４８は、上部支持片２２２の底面２２２ｂに当接するとともに第２凸部２４８の側面がテーパー面２２６の端部２２６ａに当接し、第１凸部２４６とともにフック部材２４０が上下方向にがたついたり傾いたりすることを防止するとともにフック部材２４０のそれ以上の回転を規制することになる。
【００２８】
（フック部材２４０）
フック部材２４０には、スクリーン１３０の一端部を係止して固定するものである。フック部材２４０には、図４及び図５に示したように、一端に係止部２４２が設けられている。また、フック部材２４０の他端側には、ベース部材２２０の上部支持片２２２と下部支持片２２４との間に挿入されて回転可能に支持される基部２４４が設けられている。
【００２９】
基部２４４は係止部２４２よりも肉薄に構成されている。基部２４４の上面には、図６に示したように、先端に半球状に突出した第１凸部２４６が形成されている。さらに、基部２４４の上面には、後端に第１凸部２４６方向に方形状に延びる第２凸部２４８が形成されている。また、基部２４４には、第１凸部２４６と第２凸部２４８との間に軸２８０が挿通する挿通孔２４４ａが形成されている。
【００３０】
さらに、基部２４４には、図７に示したように、挿通孔２４４ａが形成される位置に底面が開口する収容部２４９が形成されている。収容部２４９には、挿通孔２４４ａを挿通する軸２８０が挿通するとともに、コイルバネ２６０の上部が収納される。
【００３１】
（コイルバネ２６０）
コイルバネ２６０は、フック部材２４０を固定位置となるようにフック部材２４０の基部２４４を上部支持片２２２に押圧するよう付勢するものである。コイルバネ２６０は、図７に示したように、コイルバネ２６０の軸心に軸２８０が挿通するように、フック部材２４０の収容部２４９と下部支持片２２４との間に設けられる。コイルバネ２６０は、このように設けられることによって、コイルバネ２６０の軸心とフック部材２４０の回転軸心とが一致するように配置されるため、脱落することなく安定して作動することができる。
【００３２】
また、コイルバネ２６０は、フック部材２４０の基部２４４を上方に押圧する。このため、コイルバネ２６０は、フック部材２４０の第１凸部がベース部材２２０のテーパー面２２６上にあるときには、第１凸部２４６をテーパー面２２６に沿って起点位置Ｋに復帰させ、フック部材２４０が固定位置となる。
【００３３】
次に、遮蔽材固定装置２００の動作について、主に図５、図７〜図９などを参照しながら説明する。
【００３４】
スクリーン１３０を引き出した状態を保持するために、遮蔽材固定装置２００がウエイトバー１４０を固定するとき、フック部材２４０は、図７及び図９（ａ）の仮想線で示すように、ベース部材２２０から突出した固定位置にされる。このとき、フック部材２４０は、図７（ａ）に示したように、第１凸部２４６がベース部材２２０の起点位置Ｋにあり、図７（ｂ）に示したように、第２凸部２４８が上部支持片２２２の底部２２２ｂと当接している。
【００３５】
よって、フック部材２４０は、コイルバネ２６０によって押し上げられて、第１凸部２４６が起点位置Ｋに押し付けられるとともに、第２凸部２２６が上部支持片２２２の底面に押し付けられる。このため、フック部材２４０は、上下方向にがたついたり、容易に回転したりすることなく、固定位置で保持される。
【００３６】
次に、スクリーン１３０を巻き上げて遮蔽材固定装置２００がウエイトバー１４０を固定しないとき、フック部材２４０を、図９（ａ）の仮想線で示す位置から実線で示すように回転させて、図９（ｂ）に示す収納位置まで回転させる。このとき、フック部材２４０は、図５（ｂ）及び図８（ａ）に示したように、第１凸部２４６がテーパー面２２６を乗り越えてテーパー面２２６の端部２２６ａに当接する。よって、第１凸部２４６がテーパー面２２６の端部２２６ａを乗り越える程度の力を掛けない限りフック部材２４０は回転できない。
【００３７】
また、フック部材２４０が収納位置のとき、図５（ｂ）及び図８（ａ）に示したように、第２凸部２４８は、上部支持片２２２の底面２２２ｂに当接するとともに側面がテーパー面２２６の端部２２６ａに当接するため、第２凸部２４８がテーパー面２２６を乗り越えて、それ以上回転することを規制する。一方、第１凸部２４６もテーパー面２２６の端部２２６ａに当接して固定位置方向への回転が規制されることによって、フック部材２４０は、上下方向にがたついたり傾いたり、容易に回転したりすることなく、収納位置で安定して保持される。
【００３８】
（第１の実施形態の効果）
以上説明したように、本実施形態によれば、上部支持片２２２にテーパー面２２６を形成し、フック部材２４０に第１凸部２４６を形成し、フック部材２４０が固定位置となるように付勢するコイルバネ２６０を設けたことにより、第１凸部２４６がテーパー面２２６を乗り越えるまでの回転範囲では、コイルバネ２６０による付勢力によってフック部材２４０が固定位置へ復帰可能となるようにした。このため、スクリーン１３０の閉塞途中でフック部材２４０に接触してフック部材２４０が回転してしまっても、テーパー面２６６内の回転であれば、コイルバネ２６０によって自動的に固定位置に戻ることができる。さらに、フック部材２４０は回転可能となっているため、衝撃を吸収して破損を防止することができる。以上のように、遮蔽装置１００のスクリーン１３０を固定するための遮蔽材固定装置２００に接触したときの不具合を解消することができる。
【００３９】
また、第１凸部２４６がテーパー面２２６を乗り越えるとテーパー面２２６によって第１凸部２４６の移動が阻止されるため、フック部材２４０を収納位置において保持することができる。
【００４０】
また、テーパー面２２６は起点位置を中心に両側に向かって傾斜するように形成することで、フック部材２４０が左右いずれの水平方向に回転しても、コイルバネ２６０の付勢力によって起点位置となる固定位置に復帰できる。
【００４１】
また、コイルバネ２６０は、軸心がフック部材２４０の回転支点に一致するように配置されるため、コイルバネ２６０は脱落することなく安定して作動することができる。
【００４２】
また、ベース部材２２０の上部支持片２２２に第２凸部２４８を設けることで、フック部材２４０が固定位置にあるときは、第１凸部２４６が起点位置Ｋに当接し、第２凸部２４８が上部支持片２２２の底面２２２ｂに当接しており、フック部材２４０が収納位置にあるときは、第１凸部２４６と第２凸部２４８とが上部支持片２２２の底面２２２ｂそれぞれに当接しているため、ベース部材２２０に対してフック部材２４０が上下方向にがたついたり傾いたりすることを防止できる。フック部材２４０が収納位置にあるときは第２凸部２４８がテーパー面２２６と当接し、第１凸部２４６もテーパー面２２６と当接する状態になり、第１凸部２４６又は第２凸部２４８がテーパー面２２６を乗り越える程度の力をかけない限りフック部材２４０は回転できないため、フック部材２４０を収納位置で安定して保持することができる。
【００４３】
（第２の実施形態）
次に、第２の実施形態に係る遮蔽材固定装置４００の構成について、図１０を参照しながら説明する。図１０は、第２の実施形態の遮蔽材固定装置４００を概略的に示す図である。本実施形態は、第１の実施形態と主にフック部材の構成が異なるものである。
【００４４】
本実施形態では、上記第１の実施形態と異なる点を中心に説明する。以下の説明において、ベース部材４２０、上部支持片４２２、テーパー面（図示せず）、下部支持片４２４、フック部材４４０、係止部４４２、基部４４４、第１凸部４４６、第２凸部４４８、コイルバネ（図示せず）、軸４８０については、上記第１の実施形態のベース部材２２０、上部支持片２２２、テーパー面２２６、下部支持片２２４、フック部材２４０、係止部２４２、基部２４４、第１凸部２４６、第２凸部２４８、コイルバネ２６０、軸２８０と同様の点については、重複説明を省略する。
【００４５】
本実施形態のベース部材４２０は、図１０に示したように、二股に形成されたフック部材４４０Ｓ、４４０Ｌを回転可能に支持するものである。なお、本明細書において、フック部材４４０Ｓ、４４０Ｌをフック部材４４０と総称する。
【００４６】
（フック部材４４０）
フック部材４４０は、図１０に示したように、約９０°の角度をもって長さの異なる２つのフック部材４４０Ｓ、４４０Ｌが二股に形成されている。フック部材４４０Ｓはフック部材４４０Ｌよりも短尺に構成されている。各フック部材４４０Ｓ、４４０Ｌの一端には、第１の実施形態のフック部材２４０と同様に、係止部４４２Ｓ、４４２Ｌが形成されている。よって、各フック部材４４０Ｓ、４４０Ｌの回転軸心から係止部４４２Ｓ、４４２Ｌまでの距離が、フック部材４４０Ｓが短く、フック部材４４０Ｌが長くなる。
【００４７】
フック部材４４０は、各フック部材４４０Ｓ、４４０Ｌの基部４４４が共通しており、軸４８０が挿通する挿通孔及びコイルバネ４６０が収容される収容部も共通である。基部４４４には、各フック部材４４０Ｓ、４４０Ｌに対応する第１凸部４４６Ｓ、４４６Ｌと第２凸部４４８Ｓ、４４８Ｌが形成されている。
【００４８】
次に、遮蔽材固定装置４００の動作について、図１０〜図１２を参照しながら説明する。
【００４９】
引き出したスクリーン１３０を壁に近づく方向に傾斜させて保持するには、図１０及び図１１（ａ）に示したように、短尺のフック部材４４０Ｓが固定位置になるようにする。短尺のフック部材４４０Ｓが固定位置のとき、長尺のフック部材４４０Ｌが収納位置になる。すなわち、短尺のフック部材４４０Ｓの第１凸部４４６Ｓが起点位置Ｋにあり、長尺のフック部材４４０Ｌの第１凸部４４６Ｌがテーパー面を乗り越えてテーパー面の端部に当接した状態となっている。この状態で、短尺のフック部材４４０Ｓの係止部４４２Ｓをウエイトバー１４０に係止させる。
【００５０】
次に、図１１（ｂ）に示したように、引き出したスクリーン１３０を壁から遠ざかる方向に傾斜させて保持するには、図１２（ａ）の仮想線で示す位置から実線で示すように矢印Ａの方向に回転させて、図１２（ｂ）に示すように、長尺のフック部材４４０Ｌを固定位置にし、短尺のフック部材４４０Ｓを収納位置にするまで回転させる。このとき、長尺のフック部材４４０Ｌの第１凸部４４６Ｌが起点位置Ｋになり、短尺のフック部材４４０Ｓの第１凸部４４６がテーパー面を乗り越えてテーパー面の端部に当接する。この状態で、長尺のフック部材４４０Ｌの係止部４４２Ｌをウエイトバー１４０に係止させる。
【００５１】
（第２の実施形態の効果）
以上説明したように、本実施形態によれば、フック部材４４０を所定角度を以て２つ形成し、各フック部材４４０Ｓ、４４０Ｌの回転軸心からスクリーン１３０を固定する係止部４２４Ｓ、４２４Ｌまでの距離がそれぞれ異なるようにしたことにより、フック部材４４０を回転させると回転軸心からスクリーン１３０を固定する係止部４２４Ｓ、４２４Ｌまでの距離が切り替わるため、スクリーン１３０の閉塞状態にバリエーションを持たせることができる。
【００５２】
以上、添付図面を参照しながら本発明の好適な実施形態について説明したが、本発明はかかる例に限定されないことは言うまでもない。当業者であれば、特許請求の範囲に記載された範疇内において、各種の変更例又は修正例に想到し得ることは明らかであり、それらについても当然に本発明の技術的範囲に属するものと了解される。
【００５３】
例えば、上記実施形態では、テーパー面２２６、４２６と第１凸部２４６、４４６Ｓ、４４６Ｌによってフック部材２４０、４４０、４４０Ｓ、４４０Ｌを固定位置となるようにしたが、本発明はこの例に限定されない。例えば、フック部材２４０、４４０、４４０Ｓ、４４０Ｌは付勢部材の付勢力のみで固定位置になるようにしてもよい。具体的には、例えば、フック部材２４０、４４０、４４０Ｓ、４４０Ｌが固定位置のときに自然長になるようにフック部材２４０、４４０、４４０Ｓ、４４０Ｌに付勢部材としてコイルバネを連結し、フック部材２４０、４４０、４４０Ｓ、４４０Ｌが固定位置から回転してコイルバネが伸長すると、コイルバネによってフック部材２４０、４４０、４４０Ｓ、４４０Ｌが固定位置に復帰するようにしてもよい。
【００５４】
また、例えば、上記実施形態では、ベース部材２２０、４２０に上下の上部支持片２２２、４２２と下部支持片２２４、４２４を設けたが、本発明はこの例に限定されない。例えば、支持片は上下どちらか一方でもよい。
【００５５】
また、例えば、上記実施形態では、ベース部材２２０、４２０にテーパー面２２６を設け、フック部材２４０、４４０、４４０Ｓ、４４０Ｌに第１凸部２４６、４４６Ｓ、４４６Ｌ及び第２凸部２４８、４４８Ｓ、４４８Ｌを設ける構成としたが、本発明はこの例に限定されない。例えば、ベース部材２２０、４２０に第１凸部及び第２凸部を設け、フック部材２４０、４４０、４４０Ｓ、４４０Ｌにテーパー面を設けるようにしてもよい。さらには、第２凸部は設けずに第１凸部のみ設ける構成であってもよい。
【００５６】
また、例えば、上記実施形態では、フック部材２４０、４４０、４４０Ｓ、４４０Ｌに収納位置にあるときにテーパー面２２６、４２６と当接する第２凸部２４８、４４８Ｓ、４４８Ｌを設ける構成としたが、本発明はこの例に限定されない。例えば、フック部材が収納位置にあるときに、第２凸部はテーパー面と当接しない構成としてもよい。
【００５７】
また、例えば、上記実施形態では、第１凸部２４６、４４６Ｓ、４４６Ｌは半球状、第２凸部２４８、４４８Ｓ、４４８Ｌは方形状の形状としたが、本発明はこの例に限定されず、第１凸部及び第２凸部は適宜形状とすることができる。
【００５８】
また、例えば、上記実施形態では、付勢部材としてコイルバネ２６０を用いたが、本発明はこの例に限定されない。例えば、付勢部材として板バネなどを用いてもよい。
【００５９】
また、例えば、上記第２の実施形態では、フック部材４４０Ｓ、４４０Ｌは９０°の角度を以て２つ形成したが、本発明はこの例に限定されない。フック部材を３つ以上形成してもよい。
【００６０】
また、例えば、上記第２の実施形態では、フック部材４４０は長さの異なる２つのフック部材４４０Ｓ、４４０Ｌで形成したが、本発明はこの例に限定されない。例えば、２つのフック部材の長さは同じにして、回転軸心から係止部までの距離が異なるようにしてもよい。
【００６１】
また、例えば、上記第２の実施形態では、２つのフック部材４４０Ｓ、４４０Ｌは一体に形成されているが、本発明はこの例に限定されない。例えば、別体で構成した２つのフック部材を２つの基部が上下に重なるように配置してもよい。そして、２つの基部の互いに対向する面の一方にテーパー面を形成し、他方の面に第１凸部と第２凸部とを形成して、一のフック部材が固定位置にあるときに、他のフック部材が収納位置にあるようにしてもよい。さらに、上下に重ねるフック部材の数は２つに限定されない。例えば３つ以上のフック部材を重ねてもよい。
【００６２】
また、例えば、上記実施形態では、コイルバネ２６０、４６０を軸心がフック部材２４０、４４０、４４０Ｓ、４４０Ｌの回転軸心に一致するように設けられたが、本発明はこの例に限定されない。例えば、コイルバネの軸心とフック部材の回転軸心が直角に配置されるようにし、コイルバネの伸縮によってフック部材が固定位置に戻るようにしてもよい。
【符号の説明】
【００６３】
１００  遮蔽装置
１１０  巻取軸収容装置
１１２、１１４  側面ブラケット
１２０  巻取軸
１３０  スクリーン
１４０  ウエイトバー
１５０  プルコード
１６０  取り付け用ブラケット
２００、４００  遮蔽材固定装置
２２０、４２０  ベース部材
２２２、４２２  上部支持片
２２２ａ  挿通孔
２２２ｂ  底面
２２４、４２４  下部支持片
２２４ａ  挿通孔
２２６  テーパー面
２２６ａ  端部
２４０、４４０、４４０Ｓ、４４０Ｌ  フック部材
２４２、４２４Ｓ、４２４Ｌ  係止部
２４４、４４４  基部
２４４ａ  挿通孔
２４６、４４６Ｓ、４４６Ｌ  第１凸部
２４８、４４８Ｓ、４４８Ｌ  第２凸部
２４９  収容部
２６０  コイルバネ（付勢部材）
２８０、４８０  軸
３００、３１０  外壁
【図１】
0006616931.tif 000002
【図２】
0006616931.tif 000003
【図３】
0006616931.tif 000004
【図４】
0006616931.tif 000005
【図５】
0006616931.tif 000006
【図６】
0006616931.tif 000007
【図７】
0006616931.tif 000008
【図８】
0006616931.tif 000009
【図９】
0006616931.tif 000010
【図１０】
0006616931.tif 000011
【図１１】
0006616931.tif 000012
【図１２】
0006616931.tif 000013